(57)【要約】【課題】入射した被写界光の光路を折り曲げる屈曲光学系を備えるカメラにおいて、部品を効率よく配置することで小型化を実現する。【解決手段】入射した被写界光を撮像するカメラ１００は、入射した被写界光の光軸に対し傾斜した反射面２０２ａ，３０２ａを含み、入射した被写界光の光路を反射面２０２ａ，３０２ａで折り曲げる屈曲光学系を備えている。屈曲光学系の反射面２０２ａ，３０２ａの裏側に形成された空間１０００には、ストロボ用メインコンデンサ４００等の略柱状の部品が反射面２０２ａ，３０２ａに近接して配設されている。【選択図】図４
2007058156.tif 000002
【特許請求の範囲】
【請求項１】
入射した被写界光を撮像するカメラであって、
入射した被写界光の光軸に対し傾斜した反射面を含み、入射した被写界光の光路を該反射面で折り曲げる屈曲光学系を備えており、
前記屈曲光学系の反射面の裏側には、略柱状の部品が該反射面に近接して配設されていることを特徴とするカメラ。
【請求項２】
請求項１に記載のカメラであって、
複数の屈曲光学系を備える場合に、
複数の屈曲光学系は、反射面が隣接して略同一平面上に位置する状態で配設されており、
前記部品は、隣接して略同一平面上に位置する反射面の裏側に、該反射面に近接して配設されていることを特徴とするカメラ。
【請求項３】
請求項２に記載のカメラであって、
反射面で折り曲げられた被写界光が結像される結像面が各屈曲光学系に対応して設けられ、
反射面が隣接する２つの屈曲光学系に関して、反射面と結像面の距離が異なり、
前記部品は、反射面と結像面の距離が短い方の屈曲光学系に対応する結像面の裏側にも配設されていることを特徴とするカメラ。
【請求項４】
請求項１に記載のカメラであって、
複数の屈曲光学系を備える場合に、
複数の屈曲光学系の２つは、反射面で折り曲げられた被写界光の向きが略反対で且つ反射面で折り曲げられた被写界光の光軸が略一致する状態で配設されており、
前記部品は、該２つの屈曲光学系の反射面の裏側に、該２つの反射面に近接して配設されていることを特徴とするカメラ。
【請求項５】
請求項１〜４のいずれか１に記載のカメラであって、
前記部品は、その長手方向が反射面と略平行で且つ入射した被写界光の光軸と略垂直になる状態で配設されていることを特徴とするカメラ。
【請求項６】
請求項１〜５のいずれか１に記載のカメラであって、
前記部品は、ストロボ用コンデンサであることを特徴とするカメラ。
【請求項７】
請求項３に係る請求項６に記載のカメラであって、
前記屈曲光学系の反射面の裏側に配設されたストロボ用コンデンサと、前記反射面と結像面の距離が短い方の屈曲光学系に対応する結像面の裏側に配設されたストロボ用コンデンサとは、並列接続されていることを特徴とするカメラ。
【発明の詳細な説明】
【技術分野】
【０００１】
本発明は、入射した被写界光を撮像するカメラに関し、特に、入射した被写界光の光路を折り曲げる屈曲光学系を備えるカメラに関する。
【背景技術】
【０００２】
カメラの小型化を図るために、入射した被写界光の光路をプリズム等で折り曲げるいわゆる屈曲光学系がデジタルカメラの撮影レンズ系に用いられている。しかし、カメラの更なる小型化が要求されており、そのためには、各種部品を効率よくカメラ内部に収めることが要求される。
【０００３】
一例を挙げると、ストロボを内蔵するカメラにおいては、発光部、メインコンデンサ、発光回路、及び発光制御回路等の構成部品がカメラに配設される。その中でもメインコンデンサは比較的大柄の部品であるため、十分な発光量のストロボをカメラに内蔵しようとすると、カメラの大型化を招きやすくなる。
【０００４】
なお、関連技術として、その二辺がペンタプリズム側面とプリント基板とで形成される略三角形状の空間で、プリント基板と他の電気基板との接続を行うカメラが下記特許文献１に開示されている。また、下記特許文献２〜４によるカメラが開示されている。
【０００５】
【特許文献１】特開２０００−３３８５８１号公報
【特許文献２】特開２００５−１０２８１号公報
【特許文献３】特開２００１−１０９０３６号公報
【特許文献４】特開２００３−２２７９９０号公報
【発明の開示】
【発明が解決しようとする課題】
【０００６】
本発明は、入射した被写界光の光路を折り曲げる屈曲光学系を備えるカメラにおいて、部品を効率よく配置することで小型化を実現することを目的とする。
【課題を解決するための手段】
【０００７】
本発明に係るカメラは、入射した被写界光を撮像するカメラであって、入射した被写界光の光軸に対し傾斜した反射面を含み、入射した被写界光の光路を該反射面で折り曲げる屈曲光学系を備えており、前記屈曲光学系の反射面の裏側には、略柱状の部品が該反射面に近接して配設されている。
【０００８】
本発明に係るカメラが複数の屈曲光学系を備える場合には、複数の屈曲光学系は、反射面が隣接して略同一平面上に位置する状態で配設されており、前記部品は、隣接して略同一平面上に位置する反射面の裏側に、該反射面に近接して配設されていることが好適である。さらに、反射面で折り曲げられた被写界光が結像される結像面が各屈曲光学系に対応して設けられ、反射面が隣接する２つの屈曲光学系に関して、反射面と結像面の距離が異なり、前記部品は、反射面と結像面の距離が短い方の屈曲光学系に対応する結像面の裏側にも配設されていることが好適である。
【０００９】
また、本発明に係るカメラが複数の屈曲光学系を備える場合には、複数の屈曲光学系の２つは、反射面で折り曲げられた被写界光の向きが略反対で且つ反射面で折り曲げられた被写界光の光軸が略一致する状態で配設されており、前記部品は、該２つの屈曲光学系の反射面の裏側に、該２つの反射面に近接して配設されていることが好適である。
【００１０】
また、本発明において、前記部品は、その長手方向が反射面と略平行で且つ入射した被写界光の光軸と略垂直になる状態で配設されていることが好適である。また、本発明において、前記部品は、ストロボ用コンデンサであることが好適である。
【００１１】
また、本発明において、前記屈曲光学系の反射面の裏側に配設されたストロボ用コンデンサと、前記反射面と結像面の距離が短い方の屈曲光学系に対応する結像面の裏側に配設されたストロボ用コンデンサとは、並列接続されていることが好適である。
【発明の効果】
【００１２】
本発明によれば、入射した被写界光の光路を折り曲げる屈曲光学系の反射面の裏側に略柱状の部品が反射面に近接して配設されていることで、カメラ内部に部品を効率よく配置することができ、カメラの小型化を実現することができる。
【発明を実施するための最良の形態】
【００１３】
以下、本発明の好適な実施形態を図面に従って説明する。
【００１４】
図１，２は、本発明の実施形態に係るカメラの内部構成の概略を示す図であり、図１は斜視図を示し、図２はカメラ上方から見た図を示す。本実施形態に係るカメラ１００は、広角側撮像系２００及び望遠側撮像系３００による２つの撮像系をカメラボディ１１０の内部に備えるデジタルカメラである。広角側撮像系２００の被写界側への開口部２０１及び望遠側撮像系３００の被写界側への開口部３０１は、カメラ１００のほぼ中央部にカメラ上下方向に並んで配設されている。なお、図１では、カメラボディ１１０の図示を省略している。
【００１５】
図３は、広角側撮像系２００及び望遠側撮像系３００の構成の概略を示す斜視図である。広角側撮像系２００は、広角レンズを備えており、このレンズは、入射した被写界光の光路を折り曲げるいわゆる屈曲光学系となっている。より詳細には、三角柱形状のプリズム２０２における反射面２０２ａは、平面であり、前面の開口部２０１から入射する被写界光の光軸に対して４５°傾斜している。開口部２０１から入射した被写界光の光路は、プリズム２０２の反射面２０２ａで撮像素子２０３へ向けて直角方向に折り曲げられる。そして、プリズム２０２の前後に配設されたレンズによって被写界光が対応する撮像素子２０３の表面（結像面）２０３ａに結像される。これによって、入射した被写界光の撮像が行われる。また、このレンズ系の中間にはシャッター２０４が設けられており、このシャッター２０４により撮像素子２０３への露光時間が調整される。
【００１６】
望遠側撮像系３００は、ズームレンズを備えており、このレンズも、入射した被写界光の光路を折り曲げるいわゆる屈曲光学系となっている。より詳細には、広角側撮像系２００と同様に、三角柱形状のプリズム３０２における反射面３０２ａは、平面であり、前面の開口部３０１から入射する被写界光の光軸に対して４５°傾斜している。開口部３０１から入射した被写界光の光路は、プリズム３０２の反射面３０２ａで撮像素子３０３へ向けて直角方向に折り曲げられる。そして、プリズム３０２の前後に配設されたレンズによって被写界光が対応する撮像素子３０３の表面（結像面）３０３ａに結像され、入射した被写界光の撮像が行われる。また、広角側撮像系２００と同様に、シャッター３０４が設けられており、このシャッター３０４により撮像素子３０３への露光時間が調整される。なお、ズームモータ３０５は、光学系の一部を動かして焦点距離を変更する。そして、ＡＦ（オートフォーカス）モータ３０６は、光学系の一部を移動することにより、焦点調節を行う。
【００１７】
広角側撮像系２００及び望遠側撮像系３００（２つの屈曲光学系）は、プリズム２０２の反射面２０２ａ及びプリズム３０２の反射面３０２ａがカメラ上下方向に隣接して略同一平面上に位置する状態で、カメラ上下方向に隣接して配置されている。広角側撮像系２００と望遠側撮像系３００とで入射する被写界光の光軸は平行であり、反射面２０２ａ，３０２ａの隣接方向は広角側撮像系２００及び望遠側撮像系３００に入射する被写界光の光軸と垂直になる。そして、図１，２に示す構成例では、広角側撮像系２００及び望遠側撮像系３００がカメラ左右方向に延設されており、カメラ正面側（被写界光の入射側）から見て撮像素子２０３，３０３がプリズム２０２，３０２よりも右側に配置されている。さらに、望遠側撮像系３００の上に広角側撮像系２００が載せられた形で固定されている。
【００１８】
カメラボディ１１０の内部には、広角側撮像系２００及び望遠側撮像系３００の他に、電源電池５００、メモリーカードドライブ６００、回路基板７００、液晶表示装置８００、ストロボ発光部９００、及びストロボ用メインコンデンサ４００等の部品が配置されている。図１，２に示す構成例では、電源電池５００及びメモリーカードドライブ６００は、カメラ正面側（被写界光の入射側）から見て、広角側撮像系２００及び望遠側撮像系３００よりも左側に配置されている。つまり、電源電池５００及びメモリーカードドライブ６００は、２つの屈曲光学系に対して撮像素子２０３，３０３の配設側と反対側に配置されている。また、図１，２に示す構成例では、回路基板７００及び液晶表示装置８００は、カメラ正面側（被写界光の入射側）から見て、広角側撮像系２００及び望遠側撮像系３００よりも後方に配置されている。つまり、回路基板７００及び液晶表示装置８００は、２つの屈曲光学系に対して開口部２０１，３０１の配設側と反対側に配置されている。また、図１，２に示す構成例では、ストロボ発光部９００は、広角側撮像系２００及び望遠側撮像系３００よりも上側に配置されている。このように、本実施形態に係るカメラ１００にはストロボが内蔵されている。
【００１９】
本実施形態では、開口部２０１，３０１から入射する被写界光の光軸に対してプリズム２０２，３０２の反射面２０２ａ，３０２ａが傾斜していることで、図４に示すように、隣接して略同一平面上に位置する反射面２０２ａ，３０２ａの裏側に空間１０００が形成される。ここで、図４は、図１の斜視図においてプリズム２０２，３０２を露出させて図示した場合を示す。この反射面２０２ａ，３０２ａの裏側の空間１０００は、反射面２０２ａ，３０２ａの他に、２つの屈曲光学系に対して撮像素子２０３，３０３の配設側と反対側に配置された部品（電源電池５００及びメモリーカードドライブ６００）と、２つの屈曲光学系に対して開口部２０１，３０１の配設側と反対側に配置された部品（回路基板７００）と、によっても囲まれている。これによって、反射面２０２ａ，３０２ａの裏側の空間１０００は、反射面２０２ａ，３０２ａに垂直で且つ入射する被写界光の光軸に平行な断面の形状が略三角形状となる略三角柱形状を呈している。
【００２０】
そして、本実施形態では、隣接して略同一平面上に位置する反射面２０２ａ，３０２ａの裏側に形成された略三角柱形状の空間１０００に、略柱状の部品、例えばストロボ用メインコンデンサ４００が反射面２０２ａ，３０２ａに近接して配設されている。ここでのストロボ用メインコンデンサ４００は、細長い円柱形状に形成されており、その長手方向（中心軸方向）が反射面２０２ａ，３０２ａと略平行で且つ入射した被写界光の光軸と略垂直になる状態、つまり反射面２０２ａ，３０２ａの隣接方向に略一致する状態で、略三角柱形状の空間１０００内に収められている。さらに、略三角柱形状の空間１０００をより効率的に利用するために、ストロボ用メインコンデンサ４００を細長い三角柱形状に形成し、その長手方向を反射面２０２ａ，３０２ａの隣接方向に略一致させた状態で、略三角柱形状の空間１０００内に収めることもできる。
【００２１】
このように、本実施形態によれば、入射する被写界光の光軸に対する反射面２０２ａ，３０２ａの傾斜によって生じる空間１０００を巧みに利用して、ストロボ用メインコンデンサ４００が配設される。より具体的には、反射面２０２ａ，３０２ａを含む側面により囲まれた略三角柱形状の空間１０００内に、柱状のストロボ用メインコンデンサ４００が、その長手方向が反射面２０２ａ，３０２ａの隣接方向に略一致する状態で収納される。これによって、ストロボを内蔵したことによる大型化を防止してコンパクトなデジタルカメラ１００を実現することができる。また、小型化によって内蔵ストロボのメインコンデンサ４００の容量を犠牲にすることなく、十分な光量のストロボを内蔵したデジタルカメラ１００を実現することができる。
【００２２】
次に、本実施形態の他の構成例について説明する。
【００２３】
図５に示す構成例では、図１，２に示す構成例と比較して、広角側撮像系２００におけるプリズム２０２（反射面２０２ａ）と撮像素子２０３（結像面２０３ａ）との距離が、望遠側撮像系３００におけるプリズム３０２（反射面３０２ａ）と撮像素子３０３（結像面３０３ａ）との距離よりも短く設定されている。これによって、反射面と結像面の距離が短い方の屈曲光学系に対応する撮像素子２０３の結像面２０３ａの裏側に空間１１００が形成される。さらに、ストロボ用メインコンデンサが２つに分割されてカメラボディ１１０の内部に配設されている。一方のストロボ用メインコンデンサ４００は、図１，２に示す構成例と同様に、反射面２０２ａ，３０２ａの裏側に形成される略三角柱形状の空間１０００に配設されている。他方のストロボ用メインコンデンサ４１０は、撮像素子２０３の結像面２０３ａの裏側に形成された空間１１００に配設されている。より具体的には、ストロボ用メインコンデンサ４１０は、円柱形状に形成されており、その長手方向（中心軸方向）が反射面２０２ａでの被写界光の折り曲げ方向に略一致する状態で、撮像素子２０３の裏側の空間１１００内に収められている。２つのストロボ用メインコンデンサ４００，４１０は、図示しないプリント基板及びフレキシブルプリント基板によって電気的に並列接続されているため、その合成容量は両方のコンデンサ４００，４１０の容量の和となる。ストロボの発光エネルギーはストロボ用メインコンデンサの容量に比例するため、図５に示す構成例によれば、ストロボ用メインコンデンサ４００，４１０の合成容量を増大させることで、ストロボの発光光量を増大させることができる。
【００２４】
また、図６，７に示す構成例では、図１，２に示す構成例と比較して、広角側撮像系２００の被写界側への開口部２０１及び望遠側撮像系３００の被写界側への開口部３０１は、カメラ１００のほぼ中央部にカメラ左右方向に並んで配設されている。広角側撮像系２００及び望遠側撮像系３００（２つの屈曲光学系）は、反射面２０２ａ，３０２ａで折り曲げられた被写界光の向きが互いに略反対で且つ反射面２０２ａ，３０２ａで折り曲げられた被写界光の光軸が略一致する状態で、カメラ左右方向に隣接して配置されている。この配置により、反射面２０２ａ，３０２ａ同士の成す角度は略９０°となる。そして、カメラ正面側（被写界光の入射側）から見て、撮像素子２０３がプリズム２０２よりも左側に配置されており、撮像素子３０３がプリズム３０２よりも右側に配置されている。なお、図６，７では、広角側撮像系２００、望遠側撮像系３００、回路基板７００、及びストロボ用メインコンデンサ４００以外の部品の図示を省略している。そして、図７は、図４と同様に、プリズム２０２，３０２を露出させて図示した場合を示している。
【００２５】
図６，７に示す構成例では、反射面２０２ａ，３０２ａの裏側の空間１０００は、反射面２０２ａ，３０２ａの他に、２つの屈曲光学系に対して開口部２０１，３０１の配設側と反対側に配置された部品（回路基板７００）によっても囲まれている。これによって、反射面２０２ａ，３０２ａの裏側の空間１０００は、反射面２０２ａ，３０２ａに垂直な断面の形状が略三角形状となる略三角柱形状を呈している。そして、ストロボ用メインコンデンサ４００は、反射面２０２ａ，３０２ａの裏側に形成された略三角柱形状の空間１０００に、反射面２０２ａ，３０２ａに近接して配設されている。ここでのストロボ用メインコンデンサ４００は、円柱形状や三角柱形状等の柱状に形成されている。そして、柱状のストロボ用メインコンデンサ４００が、その長手方向が反射面２０２ａ，３０２ａと略平行で且つ入射した被写界光の光軸と略垂直になる状態で、反射面２０２ａ，３０２ａを含む側面により囲まれた略三角柱形状の空間１０００内に収められている。
【００２６】
このように、図６，７に示す構成例でも、入射する被写界光の光軸に対する反射面２０２ａ，３０２ａの傾斜によって生じる空間１０００を巧みに利用して、ストロボ用メインコンデンサ４００が反射面２０２ａ，３０２ａ間に挟まれて配設される。これによって、十分な光量のストロボを内蔵したコンパクトなデジタルカメラ１００を実現することができる。
【００２７】
以上の実施形態では、屈曲光学系の反射面の裏側に、ストロボ用メインコンデンサが反射面に近接して配設されている場合について説明した。ただし、本実施形態では、屈曲光学系の反射面の裏側に、例えば機構系の回転軸やモータ等の略柱状の部品が反射面に近接して配設されていてもよい。
【００２８】
図８〜１２に示す構成例では、図５に示す構成例と比較して、広角側撮像系２００の反射面２０２ａの裏側に形成された略三角柱形状の空間１０００に、レンズ保護用のバリア１４００を駆動するためのモータ１２００が反射面２０２ａに近接して配設されている。ここで、図８はカメラ上方から見た図を示し、図９は図８におけるモータ周辺部の拡大図を示す。そして、図１０はカメラ正面側からの斜視図を示し、図１１は図１０からバリア１４００を省略した図を示し、図１２はカメラ背面側からの斜視図を示す。ここでのモータ１２００は、略柱状に形成されており、その長手方向（回転軸に平行方向）が反射面２０２ａと略平行で且つ入射した被写界光の光軸と略垂直になる状態で、略三角柱形状の空間１０００内に収められている。また、広角側撮像系２００の上側には、減速ギア１３００及びバリア閉状態センサ１５００が配設されている。減速ギア１３００は、モータ１２００の動力を減速してバリア１４００の駆動軸へ伝達する。バリア閉状態センサ１５００は、バリア１４００が閉じているか否か、すなわちバリア１４００が開口部２０１，３０１を覆っているか否かを検出する。このように、図８〜１２に示す構成例でも、入射する被写界光の光軸に対する反射面２０２ａの傾斜によって生じる空間１０００を巧みに利用して、バリア１４００を駆動するためのモータ１２００を配設することができる。
【００２９】
以上の実施形態では、２つの屈曲光学系を備えるカメラについて説明した。ただし、単一の屈曲光学系を備えるカメラや、３つ以上の屈曲光学系を備えるカメラにおいても、本発明の適用が可能である。
【００３０】
図１３，１４に示す構成例でも、カメラボディ１１０の内部に配設された撮像系３５０は、入射した被写界光の光路を折り曲げる屈曲光学系である。つまり、カメラ前面の開口部３５１から入射した被写界光の光路は、プリズム３５２の反射面３５２ａで撮像素子へ向けて直角方向に折り曲げられる。ここで、図１３はカメラ下方から見た図を示し、図１４はカメラ斜め下方から見た斜視図を示す。そして、図１３，１４に示す構成例では、撮像系３５０の反射面３５２ａの裏側に形成された略三角柱形状の空間１０００に、撮像系３５０のレンズ群を駆動するためのアクチュエータとしてステッピングモータ１６００が反射面３５２ａに近接して配設されている。ここでのステッピングモータ１６００は、略柱状（例えば円柱状）に形成されており、その長手方向（回転軸に平行方向）が反射面３５２ａと略平行で且つ入射した被写界光の光軸と略垂直になる状態で、略三角柱形状の空間１０００内に収められている。なお、図１３，１４では、カメラボディ１１０等の他の構成部品の図示を省略している。
【００３１】
図１５，１６に示すように、ステッピングモータ１６００の回転軸は、反射面３５２ａで折り曲げられた被写界光の光軸に平行な中心軸まわりに回転可能な円筒カム１６２０，１６３０とギヤ機構１６１０を介して結合されている。ステッピングモータ１６００が発生する回転力は、その中心軸がギヤ機構１６１０によって反射面３５２ａで折り曲げられた被写界光の光軸と平行な方向に変換されてから、円筒カム１６２０，１６３０に伝達される。また、プリズム３５２と撮像素子との間には、プリズム３５２側から撮像素子側へ順に、レンズ群３５５、シャッター３５４、及びレンズ群３５６が配設されている。レンズ群３５５を固定する枠３５５ａ及びレンズ群３５６を固定する枠３５６ａは、ともに反射面３５２ａで折り曲げられた被写界光の光軸に平行な方向に移動可能な状態で支持されている。さらに、枠３５５ａは円筒カム１６２０に螺旋状に刻まれた溝１６２０ａに嵌められており、枠３５６ａは円筒カム１６３０に螺旋状に刻まれた溝１６３０ａに嵌められている。そのため、ステッピングモータ１６００を回転駆動して円筒カム１６２０，１６３０を回転駆動することで、図１５，１６に示すようにレンズ群３５５，３５６を溝１６２０ａ，１６３０ａに従って反射面３５２ａで折り曲げられた被写界光の光軸に平行な方向に駆動することができ、撮影ポジションにレンズ群３５５，３５６を移動させることができる。なお、円筒カム１６２０，１６３０に刻まれた溝１６２０ａ，１６３０ａの旋回方向は互いに逆方向であるため、ステッピングモータ１６００の回転駆動によりレンズ群３５５，３５６は互いに反対方向に移動する。
【００３２】
図１３〜１６に示す構成例でも、入射する被写界光の光軸に対する反射面３５２ａの傾斜によって生じる空間１０００を巧みに利用して、複数のレンズ群３５５，３５６を駆動するためのステッピングモータ１６００を配設することができるので、大型化を防止してコンパクトなデジタルカメラを実現することができる。そして、撮影ポジションに各レンズ群３５５，３５６を動かすのに、上記空間１０００を利用して配置した単一のステッピングモータ１６００により複数の円筒カム１６２０，１６３０を駆動して、円筒カム１６２０，１６３０につながった複数のレンズ群３５５，３５６を駆動することで、カメラコストの増大を最小限にとどめ、カメラボディサイズの増大を最小限にとどめることができる。
【００３３】
以上、本発明を実施するための形態について説明したが、本発明はこうした実施形態に何等限定されるものではなく、本発明の要旨を逸脱しない範囲内において、種々なる形態で実施し得ることは勿論である。
【図面の簡単な説明】
【００３４】
【図１】本発明の実施形態に係るカメラの内部構成の概略を示す斜視図である。
【図２】本発明の実施形態に係るカメラの内部構成の概略を示す図であり、カメラ上方から見た図である。
【図３】広角側撮像系及び望遠側撮像系の構成の概略を示す斜視図である。
【図４】本発明の実施形態に係るカメラの内部構成の概略を示す斜視図である。
【図５】本発明の実施形態に係るカメラの他の内部構成の概略を示す斜視図である。
【図６】本発明の実施形態に係るカメラの他の内部構成の概略を示す斜視図である。
【図７】本発明の実施形態に係るカメラの他の内部構成の概略を示す斜視図である。
【図８】本発明の実施形態に係るカメラの他の内部構成の概略を示す図であり、カメラ上方から見た図である。
【図９】本発明の実施形態に係るカメラの他の内部構成の概略を示す図であり、図８におけるモータ周辺部の拡大図である。
【図１０】本発明の実施形態に係るカメラの他の内部構成の概略を示す斜視図である。
【図１１】本発明の実施形態に係るカメラの他の内部構成の概略を示す斜視図である。
【図１２】本発明の実施形態に係るカメラの他の内部構成の概略を示す斜視図である。
【図１３】本発明の実施形態に係るカメラの他の内部構成の概略を示す図であり、カメラ下方から見た図である。
【図１４】本発明の実施形態に係るカメラの他の内部構成の概略を示す斜視図である。
【図１５】本発明の実施形態に係るカメラの他の内部構成の概略を示す斜視図である。
【図１６】本発明の実施形態に係るカメラの他の内部構成の概略を示す斜視図である。
【符号の説明】
【００３５】
１００  カメラ、２００  広角側撮像系、２０１，３０１，３５１  開口部、２０２，３０２，３５２  プリズム、２０２ａ，３０２ａ，３５２ａ  反射面、３５５，３５６  レンズ群、２０３，３０３  撮像素子、２０３ａ，３０３ａ  結像面、３００  望遠側撮像系、３５０  撮像系、４００，４１０  ストロボ用メインコンデンサ、５００  電源電池、６００  メモリーカードドライブ、７００  回路基板、８００  液晶表示装置、９００  ストロボ発光部、１０００，１１００  空間、１２００  モータ、１３００  減速ギア、１４００  バリア、１５００  バリア閉状態センサ、１６００  ステッピングモータ、１６２０，１６３０  円筒カム。
【図１】
2007058156.tif 000003
【図２】
2007058156.tif 000004
【図３】
2007058156.tif 000005
【図４】
2007058156.tif 000006
【図５】
2007058156.tif 000007
【図６】
2007058156.tif 000008
【図７】
2007058156.tif 000009
【図１３】
2007058156.tif 000010
【図１４】
2007058156.tif 000011
【図１５】
2007058156.tif 000012
【図１６】
2007058156.tif 000013
【図８】
2007058156.tif 000014
【図９】
2007058156.tif 000015
【図１０】
2007058156.tif 000016
【図１１】
2007058156.tif 000017
【図１２】
2007058156.tif 000018